(57)【要約】      （修正有）【課題】稼働時間を短縮させることなく、測定対象物の状態をより詳細に監視できるデータ収集装置を提供する。【解決手段】データ収集装置１００は、センサから出力された源信号を、無線で取得される基準時刻に同期したクロックに基づいてＡ／Ｄ変換し、デジタルデータを出力するセンサブロック１０２と、デジタルデータを記憶部に記憶するデータ収集プロセッサ１０４と、記憶部に記憶されたデジタルデータを外部装置へ転送するデータ転送プロセッサ１０６とを備え、データ収集プロセッサ１０４は、センサブロック１０２への電源の供給／停止を制御する電源制御と、データ転送プロセッサ１０６の起動／休止を制御する起動制御のうちの少なくとも一方の制御を実行する。【選択図】図１
2020016972.tif 000002
【特許請求の範囲】
【請求項１】
センサから出力された源信号を、無線で取得される基準時刻に同期したクロックに基づいてＡ／Ｄ変換し、デジタルデータを出力するセンサブロックと、
前記デジタルデータを記憶部に記憶するデータ収集プロセッサと、
前記記憶部に記憶された前記デジタルデータを外部装置へ転送するデータ転送プロセッサと
を備え、
前記データ収集プロセッサは、前記センサブロックへの電源の供給／停止を制御する電源制御と、前記データ転送プロセッサの起動／休止を制御する起動制御のうちの少なくとも一方の制御を実行する
ことを特徴とするデータ収集装置。
【請求項２】
前記電源制御は、前記データ収集プロセッサが、前記センサブロックへの電源の供給／停止を間欠的に実行する間欠電源制御であることを特徴とする請求項１記載のデータ収集装置。
【請求項３】
前記間欠電源制御は、前記データ収集プロセッサが、前記基準時刻を受信して監視し、現在の時刻が所定の収集開始時刻である場合に前記センサブロックへの電源供給を開始し、前記収集開始時刻から所定の収集時間が経過した場合に前記センサブロックへの電源供給を停止する制御であることを特徴とする請求項２記載のデータ収集装置。
【請求項４】
前記起動制御は、前記データ収集プロセッサが、前記外部装置からのデータアクセス要求を監視し、前記データアクセス要求を検出した場合に前記データ転送プロセッサを起動させ、前記データ転送プロセッサによる前記外部装置へのデータ転送が終了した場合に前記データ転送プロセッサを休止させる制御であることを特徴とする請求項１から３のいずれか１項に記載のデータ収集装置。
【請求項５】
前記データ収集プロセッサは、間欠的に起動することを特徴とする請求項１から４のいずれか１項に記載のデータ収集装置。
【請求項６】
前記センサブロックは、前記源信号からそのＤＣ成分を除去した残りのＡＣ成分を増幅する増幅部を備えることを特徴とする請求項１から５のいずれか１項に記載のデータ収集装置。
【請求項７】
前記ＤＣ成分はローパスフィルタにより除去されることを特徴とする請求項６記載のデータ収集装置。
【請求項８】
前記デジタルデータは、前記記憶部において、ひとつのファイルが連続した領域に既知のサイズにて記憶されることを特徴とする請求項１から７のいずれか１項に記載のデータ収集装置。
【請求項９】
センサから出力された源信号を、無線で取得される基準時刻に同期したクロックに基づいてＡ／Ｄ変換し、デジタルデータを出力するセンサブロックを備えるデータ収集装置におけるデータ収集方法であって、
前記データ収集装置に、前記デジタルデータを記憶部に記憶するデータ収集プロセッサと、前記記憶部に記憶された前記デジタルデータを外部装置へ転送するデータ転送プロセッサとを設け、
前記データ収集プロセッサは、前記センサブロックへの電源の供給／停止を制御する電源制御と、前記データ転送プロセッサの起動／休止を制御する起動制御のうちの少なくとも一方の制御を実行する
ことを特徴とするデータ収集方法。
【発明の詳細な説明】
【技術分野】
【０００１】
本発明は、データ収集装置、およびデータ収集方法に関する。
【背景技術】
【０００２】
自然環境や構造物の状態（温度、湿度、電圧、電流、圧力、振動、音など）を離れた場所から計測するために、状態のデータを収集するデータ収集装置が用いられる。こうしたデータ収集装置を使って、道路・鉄道・送電線・パイプラインなどネットワーク的構造物の状態を計測する場合、複数のデータ収集装置が収集するデータの時刻が同期していることが望ましい。このような計測方法は、同期計測と呼ばれる。非特許文献１には、同期計測を行うデータ収集装置の例が記載されている。
【０００３】
図７は、非特許文献１に記載されたデータ収集装置と類似する構成であり、一般的な同期計測機能を備えるデータ収集装置１の構成を示すブロック図である。
【０００４】
データ収集装置１は、同期制御部２と、センサブロック３と、プロセッサ４と、記憶部５と、を備える。
【０００５】
同期制御部２は、測位衛星システムであるＧＮＳＳ（Global Navigation Satellite System）や電波時計などの無線システムから受信した基準時刻に同期したクロックをセンサブロック３に供給する。同期制御部２は、一般的には、ＧＰＳＤＯ（Global Positioning System Disciplined Oscillator）またはＧＮＳＳＤＯ（GNSS Disciplined Oscillator）と呼ばれる。
【０００６】
センサブロック３は、例えば、センサ、ハイパスフィルタ、増幅部、Ａ／Ｄ（Analog/Digital）変換部（いずれも図７において不図示）を備える。センサブロック３において、ハイパスフィルタは、センサからのアナログ信号の所望の成分を抽出する。抽出された成分は、増幅部で増幅され、Ａ／Ｄ変換部に入力する。Ａ／Ｄ変換部は、同期制御部２からのクロックに基づいたタイミングで、増幅されたアナログ信号をデジタルデータへと変換する。
【０００７】
プロセッサ４は、同期制御部２からの基準時刻に基づいたタイミングでセンサブロック３のＡ／Ｄ変換部に対して動作指示を与える。動作指示は、たとえば、Ａ／Ｄ変換部に関するゲインやサンプルレート等のパラメータである。プロセッサ４は、センサブロック３から受信したデジタルデータを記憶部５へ記憶する。また、プロセッサ４は、外部装置からのデータアクセス要求に応じて記憶部５のデータを読み出し、そのデータを外部装置に提供する。外部装置は、例えば、パーソナルコンピュータなどのデータの蓄積や分析に適した計算装置である。
【０００８】
特許文献１には、波形データ列の一時記憶領域の大きさに相当するＮワードを、領域の分割数で割り、分割された各領域のデータ量を決定し、決定したデータ量のデータを共有メモリに記憶する技術についての記載がある。
【０００９】
特許文献２には、ネットワーク上の装置の夫々に通信のための共有メモリを備えさせるトークン巡回型の通信方式についての記載がある。その通信方式は、ネットワーク上に唯一のトークンを巡回させ、トークンを保有する装置のみ共有メモリへの書き込みを可能とする。
【００１０】
特許文献３には、マルチプレクサ回路とＡ／Ｄ変換回路との間にフィルタ回路を設けることが記載されている。このフィルタ回路は、アンプとローパスフィルタを有している。アンプは、マルチプレクサ回路の出力を増幅し、５Ｈｚ以上のノイズ信号を除去する。
【００１１】
特許文献４には、複数の計測装置で物理量を計測するにあたり、各計測装置で物理量を計測する時刻を精度よく同期させることができる複数点計測装置についての記載がある。
【００１２】
特許文献５には、有線ケーブルを利用せずに、無線中継器を用いて時刻同期情報を伝える分散同期計測についての記載がある。
【先行技術文献】
【特許文献】
【００１３】
【特許文献１】国際公開第２０１６／１２０９０６号
【特許文献２】国際公開第２０１２／１１１６５３号
【特許文献３】特開２０１１−０５３０１５号公報
【特許文献４】特開２００７−２０６８４８号公報
【特許文献５】特開２０１７−１２５６９３号公報
【非特許文献】
【００１４】
【非特許文献１】ＵＲＬ：http://www.to-soku.co.jp/products/portable/pdf/spc_52.pdｆ  名称：株式会社東京測振  携帯用振動系  ＳＰＣ−５２／ＶＳＥ−１５Ｄ６
【発明の概要】
【発明が解決しようとする課題】
【００１５】
背景技術にて上述されるネットワーク的構造物の状態をより詳しく監視するためには、単位時間あたりのデータ収集回数を増やすことが重要である。単位時間あたりのデータ収集回数の増加は、たとえば、データ収集速度（Ａ／Ｄ変換回路のサンプルレート）や収集したデータの転送速度を高速化することで可能となる。
【００１６】
しかしながら、単にサンプルレートを高くしただけの場合、データ収集装置で扱うデータ量の増加に伴い、消費される電力（消費電力）が増加する可能性がある。
【００１７】
また、転送速度を高める方法として、たとえば、プロセッサに高速転送機能を搭載する方法がある。しかしながら、高速転送機能を搭載するプロセッサはそれを搭載しないプロセッサと比較してより多くの電力を消費する。従って、この場合も消費電力が増加する可能性がある。
【００１８】
消費電力が増加すると、データ収集装置の稼働時間が短縮する。稼働時間の短縮は、使い勝手の低下や管理コストの増加を招く。
【００１９】
本発明は、上記課題を解決するためになされたものであり、稼働時間を短縮させることなく、測定対象物の状態をより詳細に監視することが可能な技術を提供することを目的とする。
【課題を解決するための手段】
【００２０】
本発明のデータ収集装置は、センサから出力された源信号を、無線で取得される基準時刻に同期したクロックに基づいてＡ／Ｄ（Analog/Digital）変換し、デジタルデータを出力するセンサブロックと、前記デジタルデータを記憶部に記憶するデータ収集プロセッサと、前記記憶部に記憶された前記デジタルデータを外部装置へ転送するデータ転送プロセッサとを備え、前記データ収集プロセッサは、前記センサブロックへの電源の供給／停止を制御する電源制御と、前記データ転送プロセッサの起動／休止を制御する起動制御のうちの少なくとも一方の制御を実行する。
【００２１】
本発明のデータ収集方法は、センサから出力された源信号を、無線で取得される基準時刻に同期したクロックに基づいてＡ／Ｄ変換し、デジタルデータを出力するセンサブロックを備えるデータ収集装置におけるデータ収集方法であって、前記データ収集装置に、前記デジタルデータを記憶部に記憶するデータ収集プロセッサと、前記記憶部に記憶された前記デジタルデータを外部装置へ転送するデータ転送プロセッサとを設け、前記データ収集プロセッサは、前記センサブロックへの電源の供給／停止を制御する電源制御と、前記データ転送プロセッサの起動／休止を制御する起動制御のうちの少なくとも一方の制御を実行することを特徴とする。
【発明の効果】
【００２２】
本発明によれば、稼働時間を短縮させることなく、測定対象物の状態をより詳細に監視することが可能となる。
【図面の簡単な説明】
【００２３】
【図１】本発明の第１の実施形態に係るデータ収集装置の構成例を説明するブロック図である。
【図２】図１に示すデータ収集装置の動作例（データ収集方法）を説明するフローチャートである。
【図３】本発明の第２の実施形態に係るデータ収集装置の構成例を説明するブロック図である。
【図４】図３に示す増幅部の構成例を示すブロック図である。
【図５】図３に示すデータ収集装置の第１の動作例（電源制御）を説明するためのフローチャートである。
【図６】図３に示すデータ収集装置の第２の動作例（起動制御）を説明するためのフローチャートである。
【図７】一般的なデータ収集装置の構成例を表すブロック図である。
【発明を実施するための形態】
【００２４】
［第１の実施形態］
（構成の説明）
図１は、本発明の第１の実施形態に係るデータ収集装置１００の構成例を示すブロック図である。データ収集装置１００は、センサブロック１０２と、データ収集プロセッサ１０４と、データ転送プロセッサ１０６と、を備える。
【００２５】
センサブロック１０２は、センサ（図１において不図示）から出力された源信号を、無線で取得される基準時刻に同期させたクロックに基づいてＡ／Ｄ変換し、デジタルデータを出力する。
【００２６】
データ収集プロセッサ１０４は、センサブロック１０２から出力されたデジタルデータを、図示されない記憶部に記憶する。
【００２７】
データ転送プロセッサ１０６は、記憶部に記憶されたデジタルデータを、図示されない他の通信装置（外部装置とも呼ばれる）へ転送する。
【００２８】
データ収集プロセッサ１０４は、センサブロック１０２への電源の供給／停止を制御する電源制御と、データ転送プロセッサ１０６の起動／休止を制御する起動制御のうちの少なくとも一方の制御を実行する。
【００２９】
ここで、休止とは、データ転送プロセッサ１０６を省電力状態にさせることである。省電力状態とは、たとえば、データ転送プロセッサ１０６上で動いているプログラムやアプリケーションソフトを一度、ＨＤＤやＳＳＤに保存し電源をＯＦＦした状態、あるいは、作業状況（セッション情報）を内蔵メモリに保持した状態である。上記において、ＨＤＤはHard Disk Driveの略であり、ＳＳＤはSolid State Driveの略である。
（動作の説明）
以下、図１に示すデータ収集装置１００の動作（データ収集方法）について説明する。
【００３０】
まず、動作の前提として、上述したように、データ収集装置１００には、データ収集プロセッサ１０４とデータ転送プロセッサ１０６とが設けられる。
【００３１】
図２は、データ収集プロセッサ１０４の動作例を示すフローチャートである。データ収集プロセッサ１０４は、上述した電源制御および起動制御を実行する（ステップＳ１）。
【００３２】
電源制御は、たとえば、データ収集プロセッサ１０４が、センサブロック１０２への電源の供給／停止を間欠的に実行する間欠電源制御である。間欠電源制御において、データ収集プロセッサ１０４は、基準時刻を受信し、基準時刻が所定の収集開始時刻である場合にセンサブロック１０２への電源供給を開始し、収集開始時刻から所定の収集時間が経過した場合にセンサブロック１０２への電源供給を停止する。
【００３３】
起動制御において、たとえば、データ収集プロセッサ１０４は、外部装置からのデータアクセス要求を監視し、データアクセス要求を検出した場合にデータ転送プロセッサ１０６を起動させ、外部装置へのデータ転送が終了した場合にデータ転送プロセッサ１０６を休止させる。
【００３４】
上述した電源制御および起動制御のそれぞれの他の例については、後述する第２の実施形態にて説明する。
（効果の説明）
以上説明した第１の実施形態のデータ収集装置１００では、センサブロック１０２への電源の供給／停止を制御する電源制御と、データ転送プロセッサ１０６の起動／休止を制御する起動制御とが実行される。これらの制御、またはどちらか一方の制御が実行されることにより、データ収集装置１００で消費される電力を低減させることができる。そして、その低減させた電力の見返りとして、センサブロック１０２のサンプルレートおよび／またはデータ転送プロセッサ１０６でのデータ転送速度を高めることが可能となる。
【００３５】
従って、第１の実施形態によれば、データ収集装置１００の稼働時間を短縮させることなく、測定対象物（たとえば、ネットワーク的構造物）の状態をより詳細に監視することが可能となる。
【００３６】
また、本実施形態では、デジタルデータの記憶部への記憶と、記憶部に記憶されたデジタルデータの外部装置への転送は、別々のプロセッサで実行される。従って、上述した電源制御および起動制御を実行することで消費電力を低減させつつ、データ転送プロセッサ１０６を、高速転送機能を搭載したプロセッサとすることが可能となる。これにより、たとえば、消費電力を低減あるいは抑制した状態で、データをより高速に転送させることが可能となる。
［第２の実施形態］
図３は、本発明の第２の実施形態に係るデータ収集装置２０の構成例を示すブロック図である。データ収集装置２０は、同期制御部２２と、センサブロック２４と、データ収集プロセッサ２６と、記憶部２８と、データ転送プロセッサ３０と、を備える。
【００３７】
同期制御部２２は、一般的なデータ収集装置１（図７参照）と同様に、無線システムから基準時刻を受信する。無線システムは、たとえば、ＧＮＳＳ、電波時計システム、ラジオ放送、ＮＴＰ（Network Time Protocol）サーバである。同期制御部２２は、基準時刻に同期したクロックを生成し、生成したクロックをセンサブロック２４のＡ／Ｄ変換部４４に供給する。また、同期制御部２２は、基準時刻をデータ収集プロセッサ２６へ供給する。たとえば、無線システムがＧＮＳＳの場合、基準時刻は、ＵＴＣ（Coordinated Universal Time／協定世界時）に同期した時刻であり、クロックは、その基準時刻に同期した低ジッタのクロック（たとえば、１０ＭＨｚ）である。
【００３８】
センサブロック２４は、センサ４０と、増幅部４２と、Ａ／Ｄ変換部４４と、電源制御部４６と、を備える。
【００３９】
センサ４０は、例えば、音響マイクや加速度センサである。センサ４０は、検出した物理量をアナログ信号（源信号）として増幅部４２へ出力する。
【００４０】
増幅部４２は、源信号を増幅して増幅信号を出力する。
【００４１】
Ａ／Ｄ変換部４４は、入力した増幅信号に対してＡ／Ｄ変換を実行しデジタルデータを出力する。Ａ／Ｄ変換部４４におけるＡ／Ｄ変換は、同期制御部２２からのクロックのタイミングに基づいて実行される。
【００４２】
電源制御部４６は、データ収集プロセッサ２６の指示に従って、センサ４０、増幅部４２、およびＡ／Ｄ変換部４４への電源の供給／停止を制御する。
【００４３】
図４は、図３に示す増幅部４２の構成例を示すブロック図である。一般的なデータ収集装置（たとえば、データ収集装置１）のセンサブロックは、ハイパスフィルタと増幅器とが直列的に接続された増幅部を備える。この増幅部の場合、フィルタの雑音特性が出力信号に直接現れてしまうため、微弱な信号が歪んでしまう可能性がある。
【００４４】
これに対して、本実施形態の増幅部４２は、図４に示されるように、直接接続されるフィルタを内部に含まず、ローパスフィルタ７２を通過した信号をオペアンプ７０で除去して増幅器７４で増幅する構造である。すなわち、増幅部４２は、源信号からＤＣ（Direct Current）成分をキャンセルした残りのＡＣ（Alternating Current）成分を増幅している。従って、フィルタの雑音特性が出力信号に直接現れにくい。そのため、ハイパスフィルタと増幅器とで構成される一般的な増幅部と比べて微弱な信号が歪み難くなる。なお、増幅部４２は、代表的には、ＤＣサーボ方式による増幅部である。
【００４５】
データ収集プロセッサ２６は、基準時刻に基づいて所定のタイミングでＡ／Ｄ変換部４４に対して動作指示を与える。データ収集プロセッサ２６は、記憶部２８に連続的に書き込める領域を予め確保しておく。データ収集プロセッサ２６は、センサブロック２４からデジタルデータを受け取って記憶部２８へ記憶する。データ収集プロセッサ２６は、外部装置からのデータアクセス要求に応じてデータ転送プロセッサ３０を起動する。起動したデータ転送プロセッサ３０は、記憶部２８に記憶されたデータを読み出して外部装置へ提供する。
【００４６】
そして、データ収集プロセッサ２６は、センサブロック２４への電源の供給／停止を制御する電源制御と、データ転送プロセッサ３０の起動／休止を制御する起動制御のうちの少なくとも一方の制御を実行する。データ収集プロセッサは、たとえば、高速転送機能を備えない一般的なマイクロコンピュータ（マイコン）である。
【００４７】
記憶部２８は、基本的には、一般的なデータ収集装置１（図７参照）と同様に構成される。記憶部２８は、代表的には、ＳＤ（Secure Digital）カードなどの不揮発性メモリである。
【００４８】
さらに、本実施形態において、記憶部２８は、以下で説明するように、連続した領域に対するデータ書込みやデータ読出しが短時間で完了するように構成されており、データ収集プロセッサ２６から与えられるデジタルデータを記憶する。
【００４９】
一般的に、記憶部２８は、データ記憶の物理的配置と論理的配置とをもっている。データのアクセスは論理的配置に基づいて行われる。記憶素子の故障に備えて、物理的配置と論理的配置はある程度の構成自由度がある。物理的配置に合わせて論理的配置を構成することで、データアクセスをある程度高速にすることが可能である。物理的配置に合わせて論理的配置を構成するひとつの方法は、記憶部２８にデータを記憶する際に、データの論理的な箱となるファイルのサイズを予め決めて、そのファイルを物理的に連続した領域に配置する、という方法である。
【００５０】
この方法により、ひとつのファイルが連続した領域に既知のサイズで記憶部２８に記憶され、既知サイズで連続領域であるがゆえにそのファイルへの読み書きのアクセスパターンが予測可能なものとなり、高速なデータアクセスが可能になる。本実施形態では、この方法を利用して、データ収集プロセッサ２６は、記憶部２８にデータを記憶する。
【００５１】
データ転送プロセッサ３０は、データ収集プロセッサ２６からの指示で起動し、外部装置からのデータアクセス要求に応えて記憶部２８のデータを読み出し、読み出したデータを外部装置へ提供する。データ転送プロセッサ３０は、たとえば、高速転送機能を備えたマイコンである。高速転送は、たとえば、ＵＳＢ（Universal Serial Bus）による転送である。
【００５２】
データ収集装置２０の動作状態のほとんどは、待ち合わせ中かデジタルデータの収集をしている状態であり、外部装置へのデータを転送している状態の頻度は低い。しかしながら、頻度は低いもののデータ転送速度が高速であることが望ましい。
【００５３】
データ転送速度を高めるためには、データ転送プロセッサ３０が高速転送に対応している必要がある。しかしながら、データ転送プロセッサ３０が実際に必要なのは頻度の低いデータ転送のときだけである。従って、データ転送プロセッサ３０、特に、多くの電力を消費する高速転送機能を搭載したデータ転送プロセッサ３０を常に動作させておくことは消費電力増加の一因となる。
【００５４】
そこで、本実施形態では、外部装置からのデータアクセス要求があるときだけ、データ転送プロセッサ３０を起動させるようにしている。データ転送プロセッサ３０の起動制御は、データ収集プロセッサ２６が担当する。つまり、データ収集プロセッサ２６は、外部装置からのデータアクセス要求を監視し、データアクセス要求があった場合、データ転送プロセッサ３０を起動させ、そのデータアクセス要求の処理が終わったらデータ転送プロセッサ３０を停止させる。なお、データアクセス要求は、記憶部２８からのデータ読み取り、記憶部２８へのデータ書き込み、データの消去、あるいは記憶部２８の初期化等である。
（動作の説明）
図５は、図３に示すデータ収集装置２０の第１の動作例（電源制御）を説明するためのフローチャートである。具体的には、図５は、データ収集プロセッサ２６が、センサブロック２４への電源の供給／停止を間欠的に実行する間欠電源制御を説明するためのフローチャートである。
【００５５】
最初、データ収集プロセッサ２６は、休止状態にある（ステップＳ１０）。データ収集プロセッサ２６は、同期制御部２２から所定の時間間隔ＴＡ０で基準時刻を受信し、受信した時刻に基づいて所定の時刻ＴＡ１となったか否かを判定し、時刻ＴＡ１になった場合に起動する（ステップＳ１１）。ここで、時間間隔ＴＡ０とは、例えば、１時間毎あるいは２４時間毎のような基準時刻を知るために予め定めた時間間隔である。また、時刻ＴＡ１とは、例えば、毎日午前０時に１回あるいは毎日午前０時と午前３時の２回といったようにデータ収集開始時刻（換言すればセンサブロック２４の起動開始時刻）のことである。
【００５６】
そして、データ収集プロセッサ２６は、電源制御部４６に対して、センサブロック２４への電源供給開始を指示する（ステップＳ１２）。そして、データ収集プロセッサ２６は、記憶部２８に連続した記憶領域を確保する（ステップＳ１３）。データ収集プロセッサ２６は、センサブロック２４からデジタルデータを受け取って、上記記憶領域へ所定の数だけデジタルデータを書き込む（ステップＳ１４）。データ収集プロセッサ２６は、データ収集完了の時刻か（すなわち、時間ＴＡ２が経過したか）否かを判定する（ステップＳ１５）。時間ＴＡ２は、データ収集時間である。時間ＴＡ２は、たとえば、１０分間に設定される。なお、時間ＴＡ２は、収集時毎に同一であってもよいし、異なっていてもよい。
【００５７】
データ収集完了の時刻である場合（ステップＳ１５のＹｅｓ）、データ収集プロセッサ２６は、電源制御部４６に対して、センサブロック２４への電源供給停止を指示する（ステップＳ１６）。
【００５８】
データ収集完了の時刻でない場合（ステップＳ１５のＮｏ）、記憶領域の確保（ステップＳ１３）とデジタルデータの書き込み（ステップＳ１４）が繰り返し実行される。
【００５９】
図６は、図３に示すデータ収集装置２０の第２の動作例（起動制御）を説明するためのフローチャートである。概略的には、データ収集プロセッサ２６は、外部装置からのデータアクセス要求を監視し、データアクセス要求を検出した場合にデータ転送プロセッサ３０を起動させ、データ転送プロセッサ３０による外部装置へのデータ転送が終了した場合にデータ転送プロセッサ３０を休止させる。
【００６０】
最初、データ収集プロセッサ２６およびデータ転送プロセッサ３０は、いずれも休止状態にある（ステップＳ２０、ステップＳ３０）。データ転送プロセッサ３０は、その後、データ収集プロセッサ２６からの起動指示を待つ（ステップＳ３１）。
【００６１】
データ収集プロセッサ２６は、所定の時間ＴＢ０に亘って外部装置からのデータアクセス要求を監視し、外部装置からのデータアクセス要求を待つ（ステップＳ２１）。ここで、所定の時間ＴＢ０とは、例えば、データ収集装置２０の電源をＯＮにした直後の１０秒間、あるいは図６の動作フローで基準時刻を知るために所定の時間間隔ＴＡ０ごとにデータ収集プロセッサ２６が休止状態から起動した直後の１０秒間、のような休止状態から起動状態になった直後の短い時間のことである。この短い時間ＴＢ０を外部装置が記憶部２８へアクセスする専用時間に割り当て、その時間の中でデータ収集プロセッサ２６は外部装置からのデータアクセス要求を監視するのである。
【００６２】
データアクセス要求があれば（ステップＳ２２のＹｅｓ）、データ収集プロセッサ２６は、記憶部２８をデータ転送プロセッサ３０がアクセス可能な状態にしてからデータ転送プロセッサ３０を起動する（ステップＳ２３）。データ収集プロセッサ２６は、データ転送プロセッサ３０が外部装置からのデータアクセス要求を処理し終えるのを待つ（ステップＳ２４）。外部装置からのデータアクセスが終了したら、データ収集プロセッサ２６は、データ転送プロセッサ３０を休止状態にし、記憶部２８へのアクセス権をデータ収集プロセッサ２６に戻す（ステップＳ２５）。その後に待ち受け動作を終え、もし外部装置からのデータアクセス要求が無ければ、やはり待ち受け動作を終える。待ちうけ動作を終えた後で、データ収集プロセッサ２６は、図５の処理（電源制御）を実行する（ステップＳ２６）。図５の処理の実行が終了したら、データ収集プロセッサ２６は、休止状態に移行する（ステップＳ２０）。
【００６３】
一方、データ転送プロセッサ３０は、データ収集プロセッサ２６によって休止状態から起動された後に、外部装置からのデータアクセス要求を処理することを繰り返し（ステップＳ３２）、データ収集プロセッサ２６からの休止指示（ステップＳ２５）に基づいて休止状態（ステップＳ３０）に戻る。
（効果の説明）
以上説明した第２の実施形態のデータ収集装置２０では、第１の実施形態と同様に、センサブロック２４への電源の供給／停止を制御する電源制御と、データ転送プロセッサ３０の起動／休止を制御する起動制御とが実行される。これらの制御、またはどちらか一方の制御が実行されることにより、データ収集装置２０で消費される電力を低減させることができる。そして、その低減させた電力の見返りとして、センサブロック２４のサンプルレートおよび／またはデータ転送プロセッサ３０のデータ転送速度を高めることが可能となる。
【００６４】
従って、第２の実施形態によれば、データ収集装置２０の稼働時間を短縮させることなく、測定対象物（たとえば、ネットワーク的構造物）の状態をより詳細に監視することが可能となる。
【００６５】
また、本実施形態では、デジタルデータの記憶部２８への記憶と、記憶部２８に記憶されたデジタルデータの外部装置への転送は、別々のプロセッサで実行される。従って、上述した電源制御および起動制御を実行することで装置全体の消費電力を低減させつつ、データ転送プロセッサ３０を、高速転送機能（たとえば、ＵＳＢ）を搭載したプロセッサとすることが可能となる。これにより、たとえば、消費電力を低減あるいは抑制した状態で、データをより高速に転送させることが可能となる。
【００６６】
さらに、本実施形態では、データ収集プロセッサ２６自体も間欠的（たとえば、時刻ＴＡ１から時間ＴＡ２の間だけ）に起動するようにしているので、データ収集装置２０で消費される電力を一層低減させることができる。
【００６７】
また、本実施形態は、記憶部２８にデータを記憶する際に、データの論理的な箱となるファイルのサイズを予め決め、そのファイルを物理的に連続した領域に配置している。このようにすることで、ひとつのファイルが連続した領域に既知のサイズで記憶部２８に記憶され、既知サイズで連続領域であるがゆえにそのファイルへの読み書きのアクセスパターンが予測可能なものとなり、高速なデータアクセスが可能になる。これにより、消費電力を増加させることなくデータ転送速度を高めること、あるいは、データ転送速度を維持したまま消費電力を低減させることができる。
【００６８】
さらに、本実施形態の増幅部４２は、図４に示されるように、直接接続されるフィルタを内部に含まず、ローパスフィルタ７２を通過した信号をオペアンプ７０で除去して増幅器７４で増幅する構造である。従って、フィルタの雑音特性が出力信号に直接現れにくい。そのため、ハイパスフィルタと増幅器とで構成される一般的な増幅部と比べて微弱な信号が歪み難くなる。ここで、増幅部４２の回路規模は、一般的な増幅部のそれとほぼ同等である。従って、本実施形態によれば、データ収集装置２０の稼働時間を短縮させることなく、測定対象物（たとえば、ネットワーク的構造物）の状態をより一層詳細に監視することが可能となる。
【００６９】
以上、各実施形態を用いて本発明を説明したが、本発明の技術的範囲は、上記各実施形態の記載に限定されない。上記各実施形態に多様な変更又は改良を加えることが可能であることは当業者にとって自明である。従って、そのような変更又は改良を加えた形態もまた本発明の技術的範囲に含まれることは説明するまでもない。また、以上説明した各実施形態において使用される、数値や各構成の名称等は例示的なものであり適宜変更可能である。
【符号の説明】
【００７０】
２０  データ収集装置
２２  同期制御部
２４  センサブロック
２６  データ収集プロセッサ
２８  記憶部
３０  データ転送プロセッサ
４０  センサ
４２  増幅部
４４  Ａ／Ｄ変換部
４６  電源制御部
７０  オペアンプ
７２  ローパスフィルタ
７４  増幅器
１００  データ収集装置
１０２  センサブロック
１０４  データ収集プロセッサ
１０６  データ転送プロセッサ
【図１】
2020016972.tif 000003
【図２】
2020016972.tif 000004
【図３】
2020016972.tif 000005
【図４】
2020016972.tif 000006
【図５】
2020016972.tif 000007
【図６】
2020016972.tif 000008
【図７】
2020016972.tif 000009